(57)【特許請求の範囲】
【請求項１】
走査用光ビームを偏向させる長尺の折り返しミラーと、該折り返しミラーのビーム反射面における長手方向の両端を支持する一対の保持部材とを備えた光走査装置の組立方法であって、
前記折り返しミラーの前記保持部材へのセット前に、光走査装置のハウジングに該ハウジングとは別部材の仮受け部材を位置決め設置し、前記折り返しミラーの前記ビーム反射面とは反対面に接触する前記仮受け部材により前記折り返しミラーを仮保持しておき、前記折り返しミラーの前記ビーム反射面を前記保持部材に押圧セットしたときに、前記仮受け部材から前記折り返しミラーが離れるようにし、セット完了後に前記仮受け部材を、前記ハウジングの設置位置から前記ハウジングに設けられた前記受け孔へ入れて除去することを特徴とする光走査装置の組立方法。
【請求項２】
前記仮受け部材と前記セット後の前記折り返しミラーとの間に隙間を形成させることを特徴とする請求項１記載の光走査装置の組立方法。
【請求項３】
前記セット後に、前記折り返しミラーの前記ビーム反射面を前記保持部材に圧接させて維持することを特徴とする請求項１または２記載の光走査装置の組立方法。
【請求項４】
走査用光ビームを偏向させる長尺の折り返しミラーと、該折り返しミラーのビーム反射面における長手方向の両端を支持する一対の保持部材とを備えた光走査装置において、
前記折り返しミラーの前記保持部材へのセット前に、前記折り返しミラーの前記ビーム反射面とは反対面に接触して前記折り返しミラーを保持し、また前記折り返しミラーの前記保持部材へのセット時には前記折り返しミラーに接触しないように設定された仮受け部材を、前記一対の保持部材間に少なくとも１つ備え、該仮受け部材は光走査装置のハウジングとは別部材で形成されたものであり、前記ハウジングに前記仮受け部材の設置位置を位置決めする位置決め部材を設け、前記折り返しミラーが前記保持部材にセットされた後における前記仮受け部材を前記ハウジングから除去するための受け孔を、前記仮受け部材近傍の前記ハウジングに設けたことを特徴とする光走査装置。
【請求項５】
前記仮受け部材と前記セット後の前記折り返しミラーとの間の隙間を形成させることを特徴とする請求項４記載の光走査装置。
【請求項６】
前記仮受け部材の形状を、前記保持部材に前記折り返しミラーがセットされたときに、前記保持部材が前記折り返しミラーを受ける形状に近似させたことを特徴とする請求項４または５記載の光走査装置。
【請求項７】
前記仮受け部材における前記折り返しミラーとの接触面に、走査用光ビームを偏向角に対応させて前記折り返しミラーを傾斜させる傾斜面を形成したことを特徴とする請求項４〜６いずれか１項記載の光走査装置。
【請求項８】
前記折り返しミラーの前記ビーム反射面とは反対面に弾接して、前記折り返しミラーを前記保持部材に圧接させる弾性部材を設けたことを特徴とする請求項４〜７いずれか１項記載の光走査装置。
【請求項９】
光走査装置により感光作用を受ける感光体に対して転写紙を給紙し、前記感光体上に形成された現像画像を前記転写紙に転写して画像形成する画像形成装置において、
前記光走査装置として請求項４〜８いずれか１項記載の光走査装置を搭載したことを特徴とする画像形成装置。
【発明の詳細な説明】
【技術分野】
【０００１】
本発明は、走査用光ビームを偏向させる長尺の折り返しミラーと、該折り返しミラーを支持する保持部材とを備えた光走査装置、その光走査装置の組立方法、その光走査装置を搭載する画像形成装置に関するものである。
【背景技術】
【０００２】
レーザビームプリンタや複写機などの画像形成装置には、感光体上に潜像を形成するための光書込み装置を構成する光走査装置が搭載されている。この光走査装置では、光源から出射するレーザ光を、ポリゴンミラーで偏光・反射し、折り返しミラーで光路を偏向させて感光体に導いている。感光体に近づくに従って書込み幅が長くなるため、それに応じて長尺物である折り返しミラーの長さはより長くなる。
【０００３】
前記折り返しミラーの保持・固定が確実に行われないと、光走査に悪影響を与え、最終的には形成画像の画質を低下させることになる。このため従来より、種々の提案がなされ、実施されてきている。
【０００４】
例えば、特許文献１には、折り返しミラーを保持するための受け部を、折り返しミラーの長手方向における両端部およびその中間部の少なくとも１箇所に設けると共に、折り返しミラーを受け部に押圧して固定するための押圧部材を、各受け部にそれぞれ対応して設けるようにした構成が記載されている。
【０００５】
また、特許文献２には、折り返しミラーの両端をフレームに対して支持する一対のガイド手段のうち、少なくとも一方のガイド手段におけるミラー面を支持するガイドラインが、ミラー面の長手方向と直交する幅方向（短手方向）に対して角度を持って設置されるようにした構成が記載されている。
【０００６】
また、特許文献３には、複数の支持部材によりフレームに対して、折り返しミラーを３箇所以上で支持または固定するようにした構成が記載されている。
【０００７】
さらに、特許文献４には、折り返しミラーの反射面で、かつ折り返しミラーの長手方向の両端側にて該折り返しミラーを支持する両端支持部材と、該折り返しミラーの長手方向の中間部で折り返しミラーを支持する中間支持部材と、該折り返しミラーの反射面の反対面から前記両端支持部材および中間支持部材の支持部に向かって押圧する押圧部材とを備えた走査光学装置において、押圧部材による押圧部を、両端支持部材と中間支持部材による支持部を結ぶ直線上に設けた構成が記載されている。
【０００８】
図８は従来の折り返しミラーとガイド部の位置関係を示す平面図であり、４１は折り返しミラー、４２ａ，４２ｂは折り返しミラー４１の両端部を保持する一対の保持部材、４３ａ，４３ｂは各保持部材４２ａ，４２ｂの横動（図左右方向）を防ぐストッパ部材、４４は保持部材４２ａ，４２ｂを支持するハウジングである。
【０００９】
図８に示すように、折り返しミラー４１の長さをＬ１、折り返しミラー４１の保持部材４２ａ，４２ｂの幅をそれぞれｌ１，ｌ２、保持部材４２ａ，４２ｂのピッチをＬ２とすると、ｌ１＋ｌ２＋Ｌ２＞Ｌ１、かつｌ１≒ｌ２であって、ｌ１，ｌ２は３ｍｍ〜１０ｍｍが一般的であり、Ｌ２＞ｌ１，ｌ２である。
【特許文献１】特開平１１−３２６８０８号公報
【特許文献２】特開平１１−１４９０３３号公報
【特許文献３】特開平１０−２２１６２７号公報
【特許文献４】特開２００２−２６７９８４号公報
【発明の開示】
【発明が解決しようとする課題】
【００１０】
前記従来の技術において、図８に示す構成のものでは、折り返しミラー４１を保持部材４２ａ，４２ｂにセットする際、保持部材４２ａ，４２ｂの幅が狭いために、折り返しミラー４１を誤ってハウジング４４上に落として、折り返しミラー４１に損傷を生じさせたりすることが考えられる。これに対応するため保持部材４２ａ，４２ｂのミラー受け部の幅を広くすると、厚肉になった分、受け部の精度が悪くなったり、また折り返しミラー４１の有効範囲が狭くなったりするという不具合が生じる。
【００１１】
特許文献１，特許文献３では、折り返しミラーの長手方向における両端部および中間部を支持することになるため、長手方向において折り返しミラーの位置が安定しないおそれがある。また、折り返しミラーの両端部および中間部を無理に固定した場合、折り返しミラーが中間支持部にて曲げられて、中央支持部の画像が伸びたり、ボケたりすることが考えられる。
【００１２】
また、特許文献２では、折り返しミラーの受け部を広くするのと同様な効果が得られるが、折り返しミラーの有効幅が減少することになり、その分、折り返しミラーの幅を広くする必要があり、コスト的に不利である。
【００１３】
さらに、特許文献４では、ハウジングの一部を切り欠き、その切欠部を光が通過する構成になっており、このような一部に切欠部を有する構造であるとハウジングが変形しやすく、折り返しミラーの位置精度も出にくくなる。また、折り返しミラーの支持部以外の部位を押圧するため、ミラーの姿勢も安定せず、光の進行方向が不安定となる。
【００１４】
本発明の目的は、前記従来の技術に鑑み、光走査装置において折り返しミラーを保持部材にセットする際に、保持部材の受け部の面積を大きくすることなく、また折り返しミラーに無理な力を加えず、容易かつ確実に折り返しミラーを所定の位置にセットすることを可能にすることにある。
【課題を解決するための手段】
【００１５】
前記目的を達成するため、請求項１に記載の発明は、走査用光ビームを偏向させる長尺の折り返しミラーと、該折り返しミラーのビーム反射面における長手方向の両端を支持する一対の保持部材とを備えた光走査装置の組立方法であって、前記折り返しミラーの前記保持部材へのセット前に、光走査装置のハウジングに該ハウジングとは別部材の仮受け部材を位置決め設置し、前記折り返しミラーの前記ビーム反射面とは反対面に接触する前記仮受け部材により前記折り返しミラーを仮保持しておき、前記折り返しミラーの前記ビーム反射面を前記保持部材に押圧セットしたときに、前記仮受け部材から前記折り返しミラーが離れるようにし、セット完了後に前記仮受け部材を、前記ハウジングの設置位置から前記ハウジングに設けられた前記受け孔へ入れて除去することを特徴とし、この方法によって、仮受け部材により折り返しミラーを仮保持してセットすることにより、折り返しミラーをセット時に誤って落とすことがなくなり、折り返しミラーが落下して折れたり、欠けたりする不具合がなくなるため、作業者は手を離しても安定な状態に保つことができ、作業がし易くなる。また、折り返しミラーに押圧力が加わらないため、光走査によりミラーの研磨精度を生かした画像が形成され、形成画像において局所的な伸び，縮み，ボケなどの画質低下がなくなる。また、保持部材の受け部分の幅も従来と同等にできるため、ミラー幅を伸ばす必要がなく経済的である。しかも、折り返しミラーのセット前に、光走査装置のハウジングに該ハウジングとは別部材の仮受け部材を位置決め設置するように構成されているので、仮受け部材を別部材にしてハウジングを成型することにより、仮受け部材を設置する構成にしても、ハウジングの精度が低下することがなく、良好なハウジングを成形できる。さらに、セット完了後に仮受け部材を、ハウジングの設置位置からハウジングに設けられた受け孔へ入れて除去するように構成されているので、セット完了後の不要な仮受け部材を取り除くことができ、仮受け部材が存在することによる不具合を未然に防ぐことができる。
【００１６】
請求項２に記載の発明は、請求項１記載の光走査装置の組立方法において、仮受け部材とセット後の折り返しミラーとの間に隙間を形成させることを特徴とし、この方法によって、セットが終了した後、折り返しミラーに負荷がかからず変形を生じさせることもなく、画像の局所的な伸び，縮み，ボケなどの画質劣化がなくなる。また、折り返しミラーをスライドしてセットするような場合でも、常に隙間ができるため反射面を傷つけることがなくなり、セットも簡単にできる。
【００１７】
請求項３に記載の発明は、請求項１または２記載の光走査装置の組立方法において、セット後に、折り返しミラーのビーム反射面を保持部材に圧接させて維持することを特徴とし、この方法によって、折り返しミラーの保持を一定状態に維持することができる。
【００２１】
請求項４に記載の発明は、走査用光ビームを偏向させる長尺の折り返しミラーと、該折り返しミラーのビーム反射面における長手方向の両端を支持する一対の保持部材とを備えた光走査装置において、前記折り返しミラーの前記保持部材へのセット前に、前記折り返しミラーの前記ビーム反射面とは反対面に接触して前記折り返しミラーを保持し、また前記折り返しミラーの前記保持部材へのセット時には前記折り返しミラーに接触しないように設定された仮受け部材を、前記一対の保持部材間に少なくとも１つ備え、該仮受け部材は光走査装置のハウジングとは別部材で形成されたものであり、前記ハウジングに前記仮受け部材の設置位置を位置決めする位置決め部材を設け、前記折り返しミラーが前記保持部材にセットされた後における前記仮受け部材を前記ハウジングから除去するための受け孔を、前記仮受け部材近傍の前記ハウジングに設けたことを特徴とし、この構成によって、仮受け部材により折り返しミラーを仮保持してセットすることにより、折り返しミラーをセット時に誤って落とすことがなくなり、折り返しミラーが落下して折れたり、欠けたりする不具合がなくなるため、作業者は手を離しても安定な状態に保つことができ、作業がし易くなる。また、折り返しミラーに押圧力が加わらないため、光走査によりミラーの研磨精度を生かした画像が形成され、形成画像において局所的な伸び，縮み，ボケなどの画質低下がなくなる。また、保持部材の受け部分の幅も従来と同等にできるため、ミラー幅を伸ばす必要がなく経済的である。しかも、仮受け部材が当該光走査装置のハウジングとは別部材で形成されたものであり、ハウジングに仮受け部材の設置位置を位置決めする位置決め部材を設けた構成によって、仮受け部材を別部材にしてハウジングを成型することにより、ハウジングの精度が低下することがなく、良好なハウジングを成形でき、また仮受け部材は位置決め部材により、容易かつ確実に装着することができる。さらに、折り返しミラーが保持部材にセットされた後における仮受け部材をハウジングから除去するための受け孔を、仮受け部材近傍のハウジングに設けた構成によって、任意の状態で折り返しミラーを所定の位置に対して着脱することが可能になる。
【００２２】
請求項５に記載の発明は、請求項４記載の光走査装置において、仮受け部材とセット後の折り返しミラーとの間の隙間を形成させることを特徴とし、この構成によって、セットが終了した後、折り返しミラーに負荷がかからず変形を生じさせることもなく、画像の局所的な伸び，縮み，ボケなどの画質劣化がなくなる。また、折り返しミラーをスライドしてセットするような場合でも、常に隙間ができるため反射面を傷つけることがなくなり、セットも簡単にできる。
【００２３】
請求項６に記載の発明は、請求項４または５記載の光走査装置において、仮受け部材の形状を、保持部材に折り返しミラーがセットされたときに、保持部材が折り返しミラーを受ける形状に近似させたことを特徴とし、この構成によって、仮受け部材の仮保持において、折り返しミラーのプリセットの姿勢から作業することができるため、折り返しミラーを仮受け部材に押圧することが容易にできる。また、作業者が両手で折り返しミラーで持たなくても作業でき、反射面への指紋などの汚れ付着などの不具合が減少する。
【００２４】
請求項７に記載の発明は、請求項４〜６いずれか１項記載の光走査装置において、仮受け部材における折り返しミラーとの接触面に、走査用光ビームを偏向角に対応させて折り返しミラーを傾斜させる傾斜面を形成したことを特徴とし、この構成によって、折り返しミラーをプリセットの姿勢に容易に設置することができる。
【００２５】
請求項８に記載の発明は、請求項４〜７いずれか１項記載の光走査装置において、折り返しミラーのビーム反射面とは反対面に弾接して、折り返しミラーを保持部材に圧接させる弾性部材を設けたことを特徴とし、この構成によって、折り返しミラーの保持を容易に一定状態に維持することができる。
【００２９】
請求項９に記載の発明は、光走査装置により感光作用を受ける感光体に対して転写紙を給紙し、前記感光体上に形成された現像画像を前記転写紙に転写して画像形成する画像形成装置において、前記光走査装置として請求項４〜８いずれか１項記載の光走査装置を搭載したことを特徴とし、前記のような顕著な作用効果を奏する光走査装置が搭載されることにより、画質劣化のない良好な画像を得ることができる。
【発明の効果】
【００３０】
本発明によれば、仮受け部材により折り返しミラーを仮保持してセットすることにより、折り返しミラーをセット時に誤って落とすことがなくなり、折り返しミラーが落下して折れたり、欠けたりする不具合がなくなるため、作業者は手を離しても安定な状態に保つことができ、作業がし易くなる。また、折り返しミラーに押圧力が加わらないため、光走査によりミラーの研磨精度を生かした画像が形成され、形成画像において局所的な伸び，縮み，ボケなどの画質低下がなくなる。また、保持部材の受け部分の幅も従来と同等にできるため、ミラー幅を伸ばす必要がなく経済的であるなどの効果を奏する。
【発明を実施するための最良の形態】
【００３１】
以下、本発明の実施の形態を図面に基づいて説明する。
【００３２】
図１は本発明の実施形態に係る第１結像光学系と第２結像光学系とからなる光走査装置を具備するカラー画像形成装置の全体を示す概略構成図である。
【００３３】
図１において，１は回転多面鏡であるポリゴンスキャナ、２，３は一対の第１と第２の結像光学系であって、各第１結像光学系２と第２結像光学系３とにおいて、４ａ〜４ｄは折り返しミラー、５は像担持体であるドラム状の感光体、６ａ〜６ｄはｆθレンズ、７ａ，７ｂは横型トロイダルレンズである。感光体５の周囲において、８ａ，８ｂは各色に対応した露光部、９ａ，９ｂは各色に対応した現像部、１０は転写部、１１はクリーニング部、１２は帯電部、また１３は搬送ベルト、１４は定着部である。
【００３４】
図２は本実施形態における光走査装置の光学系を示す構成図であって、図１におけるポリゴンスキャナ１と一対の結像光学系２，３とからなる構成部品において、折り返しミラー４ａ〜４ｄを除いた光学的に等価な位置関係を示す部分平面図である。
【００３５】
図２において，ポリゴンスキャナ１は矢印方向に回転するものとし，第１結像光学系２は走査開始端と走査終了端に２つの同期検知センサ１５ａ，１５ｂを有しており、２点同期方式を採用している。また第２結像光学系２も同様に、走査開始端と走査終了端に２つの同期検知手段１５ｃ，１５ｄを有する２点同期方式を採用している。
【００３６】
また、ポリゴンスキャナ１の片側には、ポリゴンスキャナ１の異なる鏡面にレーザビームを照射する光源であるＬＤ（半導体レーザ）からなる第１レーザ発光装置１６ａ，第２レーザ発光装置１６ｂが配置されている。ポリゴンスキャナ１は、第１レーザ発光装置１６ａ，第２レーザ発光装置１６ｂなどから出射されるレーザビームを感光体５上で主走査方向に走査するような向きに回転し、また感光体５は主走査方向に直交する副走査方向に回転している。
【００３７】
第１レーザ発光装置１６ａ，第２レーザ発光装置１６ｂは、図示を省略した画像データ入力装置から入力される画像データに基づいて駆動される。これら第１結像光学系２，第２結像光学系３を含む光書込み装置では、図１，図２において、第１レーザ発光装置１６ａから出射された第１ビームＢ１はシリンドリカルレンズ１８ａを通り、ポリゴンスキャナ１で偏向され、ｆθレンズ６ａ，６ｂを通り、折り返しミラー４ａで折り返され、トロイダルレンズ７ａを通り、折り返しミラー４ｂで折り返されて感光体５を走査する。
【００３８】
一方、第２レーザ発光装置１６ｂから出射された第２ビームＢ２はシリンドリカルレンズ１８ｂを通り、ポリゴンスキャナ１で偏向され、ｆθレンズ６ｃ，６ｄを通り、折り返しミラー４ｃ，４ｄで折り返され、トロイダルレンズ７ｂを通って感光体５を走査する。第１ビームＢ１と第２ビームＢ２とは、ポリゴンスキャナ１の回転により、主走査方向に互いに逆方向に走査される。
【００３９】
このようにして、第１レーザ発光装置１６ａ，第２レーザ発光装置１６ｂの２つの光源から出射されたビームＢ１，Ｂ２をポリゴンスキャナ１により主走査対応方向に同時に振らせつつ、副走査方向に回転している感光体５の表面を、露光部８ａ，８ｂにおいてビーム露光することにより、感光体５の表面にそれぞれの色に対応した静電潜像を形成する。
【００４０】
前記のようにして感光体５の表面上に形成された、それぞれの静電潜像に対して現像装置９ａ，９ｂにより色違いのトナー粒子を付着させてトナー像として顕像化し、それぞれのトナー像を転写部１０で転写紙(図示せず)上に重ね合わせ転写する。転写紙は、転写後、搬送ベルト１３により矢印で示すように排紙部側へ向けて搬送され、定着部１４で熱および圧力が加えられる。この定着処理によりトナー像が転写紙上に定着され、転写紙上に多色画像が形成される。
【００４１】
図１において、感光体５の表面は、露光前に帯電部１２で均一に帯電され、また転写後にはクリーニング部１１において残留トナーが除去・回収される。
【００４２】
次に、本実施形態における前記折り返しミラーの関連構成について説明する。
【００４３】
図３は実施形態１における前記折り返しミラー４を支持するミラー支持構造を示す斜視図、図４は図３のミラー支持構造の正面図、図５は図３のミラー支持構造の側面図、図６は図４におけるＺ−Ｚ断面図である。
【００４４】
図３〜図６において、２１は光走査装置における図１，図２に示す光学系の構成部材を保持固定するハウジング、２２，２３は長尺の折り返しミラー４における長手方向の両端部をそれぞれ保持する一対の逆凹形状をなす保持部材、２４は、ハウジング２１における折り返しミラー４の配置部分の少なくとも略中央部に、一体的に突設された仮受け台、２５は、後述するように自由端２５ａが折り返しミラー４の両端部に弾接する一対の弾性部材、２６は各弾性部材２５の固定端２５ｂをハウジング２１に固定するネジである。
【００４５】
前記保持部材２２，２３は、ハウジング２１に一対設置され、内下側面２２ａ，２３ａが折り返しミラー４のビーム反射面である上側面４ａにそれぞれ当接している。この折り返しミラー４の支持長さは、装置に搭載される駆動モータ，ポリゴンモータなどから発生する噛合い周波数，回転周波数に合致しない固有振動数になるように設定調整される。
【００４６】
前記保持部材２２，２３の内下側面２２ａ，２３ａは、それぞれ折り返しミラー４の光ビーム反射角度に合わせて傾斜して形成されており、一方の保持部材２２の内下側面２２ａには、折り返しミラー４の長手方向と直交する方向（幅方向）の略中央部に突起部２２ｂが設けられ、他方の保持部材２３の内下側面２３ａには、折り返しミラー４の幅方向の２箇所に突起部２３ｂが設けられ、折り返しミラー４を３点支持して安定的に保持している。
【００４７】
前記弾性部材２５は板ばね材から形成されており、その自由端２５ａは、折り返しミラー４の光ビーム反射角度に合わせて傾斜したミラー受け部となっており、自由端２５ａの一部に、折り返しミラー４の端面４ｂと当接して、折り返しミラー４の長手方向の動きを規制するストッパ部２５ｃが一体に突設されている。
【００４８】
前記仮受け台２４の折り返しミラー４との対向面２４ａは、図６に示すように、保持部材２２，２３の内下側面２２ａ，２３ａにおける傾斜角度と同じ角度の傾斜面に形成されている。
【００４９】
次に、本実施形態における折り返しミラー４の組立方法について説明する。
【００５０】
仮受け台２４の設置位置は、保持部材２２，２３bの間にあれば任意である。仮受け台２４の幅は、折り返しミラー４を上に載せたときに傾かない幅を設定するが、広い幅が確保できない場合には、仮受け台２４を複数個設定することにより、折り返しミラー４が傾いたり、落下しないようにする。
【００５１】
ミラー組付け作業として、まず、折り返しミラー４を仮受け台２４に載せた状態で、一方の保持部材２２の内下側をくぐらせ、この一方の保持部材２２を折り返しミラー４が通過した状態で、他方の保持部材２３の内下側をくぐらせる。くぐらせる順番はどちらが先になってもよい。この作業中、作業者は折り返しミラー４を手で支えなくても、折り返しミラー４が仮受け台２４に保持されているため、折り返しミラー４が落下しない。
【００５２】
前記作業時には、保持部材２２，２３の突起部２２ｂ，２３ｂに接することがないように、図６に示すように、折り返しミラー４の位置決めセットが終了した状態で、仮受け台２４と折り返しミラー４との隙間Ｄ１，Ｄ２を、それぞれ０．１ｍｍ以上，１０ｍｍ以下になるよう設定する。また、仮受け台２４のミラー受け部である折り返しミラー４との対向面２４ａは、既述したように折り返しミラー４がセットされた状態に近い形状に形成することにより仮セット状態になり、折り返しミラー４を該位置決めセット状態と同じ姿勢のまま、次の作業をスムーズに行うことができる。
【００５３】
次に、折り返しミラー４を前記仮セットした状態で、折り返しミラー４のビーム反射面である上側面４ａとは反対面４ｃの下側に、弾性部材２５の自由端２５ａを外方から挿入し、弾性部材２５のストッパ部２５ｃが折り返しミラー４の端面４ｂと当接した状態でネジ２６で弾性部材２５の固定端２５ｂをハウジング２１に固定する。この状態で折り返しミラー４には弾性部材２５により上方への圧接力が与えられる。該圧接力としては、折り返しミラー４の重さで撓んだり、振動などで折り返しミラー４が所定位置からズレることがない大きさに設定する。
【００５４】
このように本実施形態では、仮受け台２４により折り返しミラー４を仮セットして保持することにより、折り返しミラー４をセット時に誤って落とすことがなくなり、折り返しミラー４が落下して折れたり、欠けたりする不具合がなくなるため、作業者は手を離しても安定な状態に保つことができ、作業がし易くなる。
【００５５】
また、折り返しミラー４に無理な押圧力が加わらないため、光走査によりミラーの研磨精度を生かした画像が形成され、形成画像において局所的な伸び，縮み，ボケなどの画質低下がなくなる。また、保持部材２２，２３の受け部分の幅も従来と同等にできるため、ミラー幅を伸ばす必要がなく経済的である。
【００５６】
また、仮受け台２４とセット後の折り返しミラー４との間に、隙間Ｄ１，Ｄ２を形成させることにより、セット完了後、折り返しミラー４に負荷がかからず変形を生じさせることもなく、画像の局所的な伸び，縮み，ボケなどの画質劣化がなくなる。また，折り返しミラー４をスライドしてセットするような場合でも，常に隙間ができるためミラー面を傷つけることがなくなり、セットも簡単にできる。
【００５７】
前記実施形態１では、仮受け台２４をハウジング２１と一体に形成した例を説明したが、仮受け台２４をハウジング２１と別体にして、ハウジング２１に対して着脱可能に設けるようにしてもよい。
【００５８】
図７は本発明の実施形態２における折り返しミラーを支持するミラー支持構造の要部を示す斜視図であり、実施形態２では、仮受け台３０がハウジング２１と独立した別部材で形成されている。仮受け台３０の形状などは、実施形態１の仮受け台２４と同じに設定されている。
【００５９】
図７において、３１，３２はハウジング２１に突設されたブロック状の位置決め部材であって、一方の位置決め部材３１は側面視Ｌ状をしており、折り返しミラー４における長手方向の押し当て基準面３１ａと、短手方向の押し当て基準面３１ｂとが形成されている。また、他方の位置決め部材３２には、折り返しミラー４における長手方向の押し当て基準面３２ａが形成されている。なお、図中の３３は、ハウジング２１に設けられた、仮受け台３０の取り外し用の受け孔である。
【００６０】
実施形態２において、位置決め部材３１，３２は、高さが仮受け台３０の高さより低く設定されており、折り返しミラー４の組付け前に仮受け台３０をセットする。すなわち、折り返しミラー４における長手方向の押し当て基準面３１ａ，３２ａに仮受け台３０の一側面３０ａを押し当て、かつ折り返しミラー４における短手方向の押し当て基準面３１ｂに仮受け台３０の他側面３０ｂを押し当てる。この押し当て状態で、実施形態２における仮受け台３０は、図５，図６に示すような、実施形態１の仮受け台２４と同じ設置状態になる。
【００６１】
仮受け台３０の位置決め基準としての位置決め部材としては、ハウジング２１に基準孔を設けたり、基準ピンを設けたりしても同様の効果が得られる。
【００６２】
実施形態２では、仮受け台３０を位置決め部材３１，３２にてハウジング２１に位置決め固定した後、実施形態１と同様に折り返しミラー４の組付け作業が行われる。折り返しミラー４のセット作業が完了した後、仮受け台３０を矢印方向へ移動させ、受け孔３３内へ落し込むようにすることにより、仮受け台３０をハウジング２１上から除去することができる。
【００６３】
前記受け孔３３は、仮受け台３０が入った状態でセット後の折り返しミラー４に接触しない深さに設定されている。また、受け孔３３を、仮受け台３０が挿入でき、かつハウジング２１を貫通する孔にすることにより、仮受け台３０をハウジング２１から外部に取り出すことができる。
【産業上の利用可能性】
【００６４】
本発明は、走査用光ビームを偏向させる長尺の折り返しミラーを用いる光走査装置に適用され、特に折り返しミラーを保持部材にセットする際に、保持部材の受け部の面積を大きくすることなく、また折り返しミラーに無理な力を加えず、容易かつ確実に折り返しミラーを所定の位置にセットすることが要求される光走査装置に用いて有効である。
【図面の簡単な説明】
【００６５】
【図１】本発明の実施形態に係る第１結像光学系と第２結像光学系とからなる光走査装置を具備するカラー画像形成装置の全体を示す概略構成図
【図２】本実施形態における光走査装置の光学系を示す構成図
【図３】図３は実施形態１における折り返しミラー４を支持するミラー支持構造を示す斜視図
【図４】図３のミラー支持構造の正面図
【図５】図３のミラー支持構造の側面図
【図６】図４におけるＺ−Ｚ断面図
【図７】本発明の実施形態２における折り返しミラーを支持するミラー支持構造の要部を示す斜視図
【図８】従来の折り返しミラーとガイド部の位置関係を示す平面図
【符号の説明】
【００６６】
４，４ａ〜４ｄ  折り返しミラー
４ａ  折り返しミラーの上側面
４ｂ  折り返しミラーの端面
１６ａ，１６ｂ  レーザ発光装置
２１  ハウジング
２２，２３  保持部材
２２ａ，２３ａ  保持部材の内下側面
２４，３０  仮受け台
２４ａ  仮受け台の折り返しミラーとの対向面
２５  弾性部材
２５ａ  自由端
２５ｂ  固定端
２５ｃ  ストッパ部
３１，３２  位置決め部材
３１ａ，３１ｂ，３２ａ  押し当て基準面
３３  受け孔
Ｄ１，Ｄ２  隙間
【図１】
0004651476.tif 000002
【図２】
0004651476.tif 000003
【図３】
0004651476.tif 000004
【図４】
0004651476.tif 000005
【図５】
0004651476.tif 000006
【図６】
0004651476.tif 000007
【図７】
0004651476.tif 000008
【図８】
0004651476.tif 000009